(57)【要約】【目的】現在視聴している番組を中断することなく他のチャンネルの番組情報を取得し得るディジタル放送受信装置を提供する。【構成】地上波ディジタル放送を受信する受信装置Ａに対してユーザからＥＰＧ表示指令がなされ且つ当該受信装置Ａにおいて映像音声中断不可の設定となっているとき、受信装置Ａは受信装置Ｂに対して番組情報の取得コマンドを送信する。受信装置Ｂは受信装置Ａから番組情報の取得コマンドを受け取るとチャンネルサーチを行って各チャンネルの番組情報を取得し、この取得した番組情報を受信装置Ａに送信する。受信装置Ａは受信装置Ｂから受け取った番組情報に基づいてＥＰＧ表示を行う。【選択図】　　　　　　　　図３
2004146950.tif 000002
【特許請求の範囲】
【請求項１】
チャンネル毎に提供されている番組情報をチャンネルサーチの実行により取得するディジタル放送受信装置において、他の受信装置との間で情報送受を行う通信インターフェイスと、他の受信装置からの番組情報取得要請に応じてチャンネルサーチを実行してチャンネル毎に提供されている番組情報を取得する番組情報取得制御手段と、取得した番組情報を前記通信インターフェイスを用いて前記他の受信装置に送信する送信制御手段と、を備えたことを特徴とするディジタル放送受信装置。
【請求項２】
請求項１に記載のディジタル放送受信装置において、他の受信装置からの番組情報取得要請を受けた際にチャンネルサーチの実行が行えない状況である場合には、既に取得していた番組情報を送信するように構成されたことを特徴とするディジタル放送受信装置。
【請求項３】
チャンネル毎に提供されている番組情報をチャンネルサーチの実行により取得するディジタル放送受信装置において、他の受信装置との間で情報送受を行う通信インターフェイスと、他の受信装置に対して番組情報の取得要請を行う取得要請制御手段と、他の受信装置から送信されてくる番組情報を前記通信インターフェイスを用いて受け取る受信制御手段と、を備えたことを特徴とするディジタル放送受信装置。
【請求項４】
請求項３に記載のディジタル放送受信装置において、受信している映像音声の中断を許容しない設定がユーザにより行われている場合に、前記取得要請制御手段は他の受信装置に対して番組情報の取得要請を行うように構成されていることを特徴とするディジタル放送受信装置。
【請求項５】
請求項３又は請求項４に記載のディジタル放送受信装置において、他の受信装置に対して番組情報の取得要請を行う際に、対象とするチャンネルを指定するように構成されたことを特徴とするディジタル放送受信装置。
【請求項６】
請求項３乃至請求項５のいずれかに記載のディジタル放送受信装置において、他の受信装置から送信されてくる番組情報と自身が保持する番組情報とを比較し、自身が保持する番組情報のなかで他の受信装置から送信されてくる番組情報よりも新しい部分があるとき、当該新しい部分を他の受信装置に与えるように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。また、ディジタル放送では、映像や音声の他に番組情報を放送波に載せることが可能であり、受信装置は受信した番組情報に基づいてＥＰＧ表示が行えるようになっている。なお、番組情報に基づくＥＰＧ表示に関する従来技術としては、定期的に見る番組についてその放送予定日をＥＰＧ機能によって取得するものがある（特許文献１参照）。
【０００３】
【特許文献１】
特開２００２−２９０８６２号公報
【０００４】
【発明が解決しようとする課題】
ところで、衛星ディジタル放送の場合には、各チャンネルに他のチャンネルの番組情報が載せられており、現在受信しているチャンネルで他のチャンネルの番組情報を取得できるが、地上波ディジタル放送では、現在受信しているチャンネル以外の番組情報を取得するには、チャンネルサーチを行って取得する必要があり、この取得を行うとすると、現在視聴している番組が中断されてしまうことになる。
【０００５】
この発明は、上記の事情に鑑み、現在視聴している番組を中断することなく他のチャンネルの番組情報を取得し得るディジタル放送受信装置を提供することを目的とする。
【０００６】
【課題を解決するための手段】
この発明のディジタル放送受信装置は、上記の課題を解決するために、チャンネル毎に提供されている番組情報をチャンネルサーチの実行により取得するディジタル放送受信装置において、他の受信装置との間で情報送受を行う通信インターフェイスと、他の受信装置からの番組情報取得要請に応じてチャンネルサーチを実行してチャンネル毎に提供されている番組情報を取得する番組情報取得制御手段と、取得した番組情報を前記通信インターフェイスを用いて前記他の受信装置に送信する送信制御手段と、を備えたことを特徴とする。
【０００７】
他の受信装置としてのディジタル放送受信装置は、上記構成のディジタル放送受信装置が取得してくれた番組情報を受け取ることができるので、自身のチャンネルサーチによる番組情報の取得は不要になり、現在視聴している番組を中断することなく他のチャンネルの番組情報をユーザに提示することができる。
【０００８】
上記構成のディジタル放送受信装置において、他の受信装置からの番組情報取得要請を受けた際にチャンネルサーチの実行が行えない状況である場合には、既に取得していた番組情報を送信するように構成されていてもよい。
【０００９】
また、この発明のディジタル放送受信装置は、チャンネル毎に提供されている番組情報をチャンネルサーチの実行により取得するディジタル放送受信装置において、他の受信装置との間で情報送受を行う通信インターフェイスと、他の受信装置に対して番組情報の取得要請を行う取得要請制御手段と、他の受信装置から送信されてくる番組情報を前記通信インターフェイスを用いて受け取る受信制御手段と、を備えたことを特徴とする。
【００１０】
上記構成のディジタル放送受信装置は他の受信装置としてのディジタル放送受信装置が取得してくれた番組情報を受け取ることができるので、自身のチャンネルサーチによる番組情報の取得は不要になり、現在視聴している番組を中断することなく他のチャンネルの番組情報をユーザに提示することができる。
【００１１】
上記構成のディジタル放送受信装置において、受信している映像音声の中断を許容しない設定がユーザにより行われている場合に、前記取得要請制御手段は他の受信装置に対して番組情報の取得要請を行うように構成されていてもよい。
【００１２】
また、他の受信装置に対して番組情報の取得要請を行う際に、対象とするチャンネルを指定するように構成されていてもよい。かかる構成であれば、例えば、第１の他の受信装置に対して１ｃｈ乃至１０ｃｈの番組情報取得を要請し、第２の他の受信装置に対して１１ｃｈ乃至２０ｃｈの番組情報取得を要請するといったように、番組情報を複数の装置で分担して取得できることになり、番組情報の取得に要する時間を短縮することができる。
【００１３】
また、他の受信装置から送信されてくる番組情報と自身が保持する番組情報とを比較し、自身が保持する番組情報のなかで他の受信装置から送信されてくる番組情報よりも新しい部分があるとき、当該新しい部分を他の受信装置に与えるように構成されていてもよい。かかる構成であれば、新しい番組情報について装置間で交換しあうことが可能になり、各装置はより新しい番組情報を保持できることになる。
【００１４】
【発明の実施の形態】
以下、この発明の実施形態を図１乃至図６に基づいて説明する。
【００１５】
図３はこの実施形態のディジタル放送受信装置３０が家庭に３台置かれ、互いに通信路（有線或いは無線）によって情報の送受が行えるようにシステム化された様子を示している。ここで、例えば一つのディジタル放送受信装置Ａがセットトップボックスであり、一つのディジタル放送受信装置Ｂがビデオテープレコーダであり、一つのディジタル放送受信装置Ｃが二台目のビデオテープレコーダであるような場合が想定される。受信部構成やＥＰＧデータ（番組情報）の取得に関する処理動作は各装置同じである。
【００１６】
図１において、地上波アンテナ１は屋外において所定の方向に向けて配置されており、地上波ディジタル放送信号を受信する。この地上波アンテナ１は受信した信号を地上波ディジタルチューナ２に与える。
【００１７】
地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１８】
デマルチプレクサ（ＤＥＭＵＸ）３は、前記トランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組情報等をＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１９】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００２０】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００２１】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００２２】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、図４に示すようなＥＰＧ画面、メニュー画面、各種設定画面などの表示が行えることになる。なお、この実施形態においては、設定画面の一つとして、番組情報取得処理において映像音声が中断されてもよいかどうかを設定する画面がある。
【００２３】
リモコン送信機１０は、当該放送受信装置３０に指令を送信するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２４】
メモリ（例えば、ＲＡＭ、フラッシュメモリ、ＥＥＰＲＯＭ等）１４には、放送波から分離されて当該受信装置が処理できるように変換処理したデータが格納される。具体的には、図２に示すように、ＥＰＧ画面を表示するためのＥＰＧデータ（チャンネル番号、番組タイトル等）、選局データ（チャンネル番号、チャンネル周波数、トランスポートストリームＩＤ）が格納される。また、各種設定の内容が格納される。この実施形態においては、設定内容の一つとして番組情報取得処理において映像音声が中断されてもよいかどうかがある。
【００２５】
通信インターフェイス（ＩＦ）１５は、有線或いは無線によって他の受信装置Ｂ，Ｃとの間でコマンドやデータの送受を行うようになっている。
【００２６】
ＣＰＵ１３は、受信装置３０における全体制御を行うものであるが、特にこの発明にかかる処理として、ＥＰＧデータ（番組情報）の取得に関する処理を行う。以下、かかる処理について図５及び図６のフローチャートを参照しつつ説明していく。
【００２７】
リモコン送信機１０の図示しないＥＰＧ表示ボタンがユーザによって操作されたとき（ステップＳ１）、ＣＰＵ１３は、映像音声が中断されてもよいかどうかの設定を確認する（ステップＳ２）、中断可の設定である場合、番組情報取得のために地上波ディジタルチューナ２にチャンネルサーチ（各チャンネルの周波数のチューニング）を指示する。そして、各チャンネルの放送波から取得される番組情報を抽出し、メモリ１４に格納していく（ステップＳ３）。一方、中断不可の設定である場合、通信ＩＦ１５を用いて受信装置Ｂに対して番組情報の取得コマンドを送信する（ステップＳ４）。
【００２８】
次に、受信装置Ｂから送られてきた番組情報が最新の番組情報であるかどうかを判断する（ステップＳ５）。この判断は、例えば、内蔵カレンダが示す現在日時と、送られてきた番組情報の取得日時とに基づいて行うことができる。送られてきた番組最新が最新の番組情報であるときには、これを用いて画面にＥＰＧ表示を行う（ステップＳ８）。一方、ステップＳ５でＮＯとされた場合、自身が保持している番組情報の取得日時と送られてきた番組情報の取得日時とを比較し、送られてきた番組情報のなかに自身の番組情報より新しい部分があれば、それを取り込み、また、自身の番組情報の方に新しい部分があれば、受信装置Ｂにその部分を送信する（ステップＳ６）。そして、最新の番組情報が得られなかった旨のメッセージを画面表示し（ステップＳ７）、現時点において得られている番組情報に基づいてＥＰＧ画面表示を行う（ステップＳ８）。
【００２９】
次に、受信装置Ｂ側での処理内容を図６のフローチャートに基づいて説明していく。受信装置Ｂは受信装置Ａから番組情報の取得コマンドを受け取ると（ステップＳ１１）、受信動作中かどうか、及び予約受信処理が例えば数分後に実行されるかどうかといった自機動作状況を判断する（ステップＳ１２）。自機において受信状態でなく、且つ、近々受信状態になることもない状況であると判断したとき（ステップＳ１２でＹＥＳ）、チャンネルサーチを行って各チャンネルの番組情報を取得し（ステップＳ１３）、受信装置Ｂの状態と番組情報とその取得日時とを受信装置Ａに送信する（ステップＳ１５）。一方、ステップＳ１２でＮＯと判断したとき、受信装置Ｂの状態と既に取得している番組情報とその取得日時を受信装置Ａに送信する（ステップＳ１４，ステップＳ１５）。
【００３０】
上記説明では、受信装置Ａの要請処理と受信装置Ｂの応答処理について説明したが、受信装置Ｂが要請して受信装置Ａが応答する場合もある。また、受信装置Ａ−Ｃ間でも要請及び応答の処理が行え、また、受信装置Ｂ−Ｃ間でも要請及び応答の処理が行えるようになっている。
【００３１】
また、番組情報取得の要請において受信装置Ａは、受信装置Ｂに対して１ｃｈ乃至１０ｃｈの番組情報取得を要請し、受信装置Ｃに対して１１ｃｈ乃至２０ｃｈの番組情報取得を要請するようにしてもよい。これによれば、番組情報を複数の装置で分担して取得できることになり、番組情報の取得に要する時間を短縮することができる。
【００３２】
また、図６では示さなかったが、受信装置Ａから新しい番組情報の部分が送信されてきたときには、受信装置Ｂは当該部分を自身の番組情報のなかに組み入れる処理を行う。
【００３３】
【発明の効果】
以上説明したように、この発明であれば、現在視聴している番組を中断することなく他のチャンネルの番組情報を取得し得るという効果を奏する。
【図面の簡単な説明】
【図１】この発明の実施形態のディジタル放送受信装置を示したブロック図である。
【図２】メモリに格納されるデータ内容を示した説明図である。
【図３】この発明の実施形態のディジタル放送受信装置を３台接続して成るシステムを示した説明図である。
【図４】ＥＰＧ画面を例示した説明図である。
【図５】処理内容を示したフローチャートである。
【図６】処理内容を示したフローチャートである。
【符号の説明】
１　　アンテナ
２　　地上波ディジタルチューナ
３　　デマルチプレクサ（ＤＥＭＵＸ）
４　　ＡＶデコーダ
１２　ＯＳＤ回路
１３　ＣＰＵ
１４　メモリ
【図１】
2004146950.tif 000003
【図２】
2004146950.tif 000004
【図３】
2004146950.tif 000005
【図４】
2004146950.tif 000006
【図５】
2004146950.tif 000007
【図６】
2004146950.tif 000008